(57)【要約】【課題】移動体通信端末を用いて、必要なときに必要な場所で必要な情報を入手することができ、企業活動におけるコミュニケーションの向上を図ることができる音声・映像配信方法及び音声・映像配信システムを提供する。【解決手段】音声・映像配信事業者１がクライアント２からの依頼に応じてＱＲコード３を貼付した印刷物４を納品するとともに、音声・映像データベース１０を構築して音声・映像データをダウンロードできるようにし、ユーザー５がＱＲコード３を読み取ることによってダウンロードページにアクセスし、必要な音声・映像データをダウンロードするシステムであり、主として、通信ネットワーク６上に設置されたサーバー７と、ユーザー５が使用する携帯電話機８と、携帯電話機８を通信ネットワーク６にアクセス可能とする無線基地局９とを備えている。【選択図】図１
2008042389.tif 000002
【特許請求の範囲】
【請求項１】
通信回線を相互に接続して構築された通信ネットワーク上に設置されたサーバーにより提供されるＷｅｂサイトからダウンロード可能な音声・映像配信方法であって、
前記ＷｅｂサイトのＵＲＬアドレスが組み込まれた二次元コードを作成し、
前記サーバー内に配信したい音声・映像のデータベースを構築し、
前記Ｗｅｂサイトから前記データベースに保存された所定の音声・映像をダウンロード可能に設定し、
前記二次元コードを所定の媒体に貼付して市場に流通させ、
前記サーバーは、前記媒体から前記二次元コードを移動体通信端末により読み取って前記Ｗｅｂサイトにアクセスし、所定の音声・映像をダウンロードしようとしたときに、アクセス元の通信事業者及び通信端末の種類を判別し、アクセス元に適した音声・映像のデータを配信する、
ことを特徴とする音声・映像配信方法。
【請求項２】
通信回線を相互に接続して構築された通信ネットワーク上に設置されたサーバーにより提供されるＷｅｂサイトからダウンロード可能な音声・映像配信システムであって、
前記サーバーと接続可能に構築された音声・映像データベースと、
前記音声・映像データベースに保存された音声・映像を前記Ｗｅｂサイトからダウンロード可能に設定したダウンロード用Ｗｅｂサイトと、
前記ダウンロード用ＷｅｂサイトのＵＲＬアドレスが組み込まれた二次元コードを貼付した二次元コード貼付媒体と、を備え、
前記サーバーは、前記二次元コード貼付媒体から移動体通信端末により前記二次元コードを読み取って前記ダウンロード用Ｗｅｂサイトにアクセスし、所定の音声・映像をダウンロードしようとしたときに、前記移動体通信端末の種類を判別し、前記移動体通信端末に適した音声・映像のデータを配信する音声・映像配信手段を有する、
ことを特徴とする音声・映像配信システム。
【発明の詳細な説明】
【技術分野】
【０００１】
本発明は、移動体通信端末を用いて音声・映像を配信する音声・映像配信方法及び音声・映像配信システムに関し、特に企業活動におけるコミュニケーションの向上を図るための音声・映像配信方法及び音声・映像配信システムに関する。
【背景技術】
【０００２】
近年では、携帯電話、携帯ゲーム機、携帯音楽プレーヤなどの移動体通信端末（モバイル端末）を誰もが持つような環境になっている。これらの移動体通信端末（モバイル端末）には、インターネットなどの通信回線に接続してＷｅｂサイトを閲覧したり、楽曲をダウンロードしたりできるようになっているものが多く、今後ますます増えることが予想される。
【０００３】
ところで、企業活動において移動体通信端末（モバイル端末）を利用する際のポイントは「コミュニケーションの向上」にある。誰でもどこでもアクセスできるモバイルポータルサイトの構築は、「顧客と企業とのコミュニケーション」、「企業と企業のコミュニケーション」、「企業内のコミュニケーション」を飛躍的に向上させることができる。
【０００４】
しかしながら、現在の移動体通信端末（モバイル端末）を用いた企業活動における情報配信は、テキスト情報や静止画情報が主流であり、視聴者に与える情報量が豊富な音声・映像（動画を含む）を積極的に利用していない。それは、移動体通信端末（モバイル端末）や通信事業者（キャリア）の種類によって再生できるファイル形式が異なったり、保存できるファイルサイズが異なったり、ファイルサイズが大きくなってしまったりするためである。ファイルサイズが大きくなると、ファイルをダウンロードする際のとき間が長くなるだけでなくパケット通信料金も増えてしまい、利用者にとき間的及び経済的な不利益を与えてしまうこととなる。ただし、この問題については、通信事業者の努力により改善されつつある。
【０００５】
一方で、移動体通信端末（モバイル端末）において音声・映像配信を行うことの必要性は、ゴルフ業界、ブライダル業界、不動産業界、マスコミ業界、宿泊施設業界、飲食店業界など様々な分野において潜在しているはずである。
【０００６】
例えば、ゴルフコースの紹介をする場合、ゴルフ場のホームページ（非特許文献１参照）やゴルフの総合情報提供サイトなどにおいて、ゴルフ場やゴルフコースの紹介がなされている場合がある。
【０００７】
しかしながら、これらの情報はパーソナルコンピュータ上でしか利用することができない。したがって、前記情報を利用する場合は、パーソナルコンピュータによりインターネットに接続することができる自宅など特定の場所に限定されてしまうという問題がある。例えば、ゴルフの練習中、ゴルフ場への移動中、ゴルフのラウンド中などにコースの特徴や攻略方法を知りたい場合に、前記ホームページを閲覧することができず、必要なときに必要な場所で必要な情報を入手することができない。
【０００８】
また、必要なときに必要な場所で必要な情報を入手するという観点からすれば、ゴルフ場が配布しているパンフレットやゴルフ場ガイドマップ（非特許文献２参照）を利用することができる。しかしながら、これらの情報は紙媒体によるテキスト情報及び静止画情報であるため、情報量が少ない、持ち運びに不便であるなどの問題がある。とくに非特許文献２のような総合的なガイドマップの場合には、紹介されているゴルフ場の数が多く、ページ数が膨大で重たくなってしまう、コースの特徴や攻略のための情報量に乏しいなどの問題がある。
【非特許文献１】「霞ヶ関カンツリー倶楽部」のホームページにおける「コース」紹介  http://wa2.e-golf.co.jp/gp/hp/st/st102.html
【非特許文献２】関東ゴルフ場ガイドマップ、株式会社国際地学協会編集・発行
【発明の開示】
【発明が解決しようとする課題】
【０００９】
本発明は上述した問題点に鑑み創案されたものであり、移動体通信端末を用いて、必要なときに必要な場所で必要な情報を入手することができ、企業活動におけるコミュニケーションの向上を図ることができる音声・映像配信方法及び配信システムを提供する。
【課題を解決するための手段】
【００１０】
本発明によれば、通信回線を相互に接続して構築された通信ネットワーク上に設置されたサーバーにより提供されるＷｅｂサイトからダウンロード可能な音声・映像配信方法であって、前記ＷｅｂサイトのＵＲＬアドレスが組み込まれた二次元コードを作成し、前記サーバー内に配信したい音声・映像のデータベースを構築し、前記Ｗｅｂサイトから前記データベースに保存された所定の音声・映像をダウンロード可能に設定し、前記二次元コードを所定の媒体に貼付して市場に流通させ、前記サーバーは、前記媒体から前記二次元コードを移動体通信端末により読み取って前記Ｗｅｂサイトにアクセスし、所定の音声・映像をダウンロードしようとしたときに、前記移動体通信端末の種類を判別し、前記移動体通信端末に適した音声・映像のデータを配信する、ことを特徴とする音声・映像配信方法が提供される。
【００１１】
また、本発明によれば、通信回線を相互に接続して構築された通信ネットワーク上に設置されたサーバーにより提供されるＷｅｂサイトからダウンロード可能な音声・映像配信システムであって、前記サーバーと接続可能に構築された音声・映像データベースと、前記音声・映像データベースに保存された音声・映像を前記Ｗｅｂサイトからダウンロード可能に設定したダウンロード用Ｗｅｂサイトと、前記ダウンロード用ＷｅｂサイトのＵＲＬアドレスが組み込まれた二次元コードを貼付した二次元コード貼付媒体と、を備え、前記サーバーは、前記二次元コード貼付媒体から移動体通信端末により前記二次元コードを読み取って前記ダウンロード用Ｗｅｂサイトにアクセスし、所定の音声・映像をダウンロードしようとしたときに、前記移動体通信端末の種類を判別し、前記移動体通信端末に適した音声・映像のデータを配信する音声・映像配信手段を有する、ことを特徴とする音声・映像配信システムが提供される。
【００１２】
前記音声・映像は、ゴルフ場案内、ゴルフコース紹介、冠婚葬祭、不動産、出版社、映画配給会社、飲食店、宿泊施設、企業案内に関する音声・映像であることが好ましく、前記二次元コード貼付媒体は、カタログ、パンフレット、スコアカード、葉書、ホームページ、広告、名刺、包装紙、ＣＤ−ＲＯＭやＤＶＤのパッケージなどであることが好ましい。また、前記移動体通信端末は、携帯電話であることが好ましい。
【発明の効果】
【００１３】
上述した本発明によれば、ＱＲコードなどの二次元コードを採用したこと、及びアクセス元が使用する移動体通信端末に適した音声・映像データを提供するようにしたことにより、移動体通信端末を用いて、必要なときに必要な場所で必要な情報を容易に入手することができ、企業活動におけるコミュニケーションの向上を図ることができる。すなわち、誰でもどこでもアクセスでき、情報量の豊富な音声・映像を簡単にダウンロードすることができるモバイルポータルサイトを構築することができ、「顧客と企業とのコミュニケーション」、「企業と企業のコミュニケーション」、「企業内のコミュニケーション」を飛躍的に向上させることができる。
【発明を実施するための最良の形態】
【００１４】
以下、本発明の実施態様の一例を図１から図７に基づいて説明する。ここで、図１は本発明の音声・映像配信システムを示す第一実施形態の全体構成図であり、図２は第一実施形態における音声・映像配信方法の準備段階を示すフロー図であり、図３〜図５は本発明の音声・映像配信方法の配信段階を示す説明図である。
【００１５】
図１に示すように、本実施形態に係る音声・映像配信システムは、音声・映像配信事業者１がクライアント２からの依頼に応じてＱＲコード３を貼付した印刷物４を納品するとともに、音声・映像データベース１０を構築して音声・映像データをダウンロードできるようにし、ユーザー５がＱＲコード３を読み取ることによってダウンロードページにアクセスし、必要な音声・映像データをダウンロードするシステムであり、主として、通信ネットワーク６上に設置されたサーバー７と、ユーザー５が使用する携帯電話機８と、携帯電話機８を通信ネットワーク６にアクセス可能とする無線基地局９とを備えている。
【００１６】
前記ＱＲコード３は、いわゆる二次元コードである。二次元コードには、バーコード、スタック型二次元コード（バーコードを積み重ねたもの）、マトリックス型二次元コードなどがあり、マトリックス型二次元コードには、例えば、ＱＲコード３（開発元：デンソーウェーブ社）、Data Matrix（開発元：I.D.MATRIX社）、ＰＤＦ４１７（開発元：Symbol Technologies社）、Maxi Code（開発元：UPS社）などがある。
【００１７】
「ＱＲコード３（Quick Responseコード）」は、高速読み取りを重視した二次元コードであり、日本で最も普及しているものである。
【００１８】
ＱＲコード３は、バーコードの数十倍から数百倍の情報量を組み込むことができ、数字・英字・漢字・カナ・ひらがな・記号・バイナリ・制御コードなどの様々なデータを利用することができる。例えば、数字のみで最大７０８９文字、英数字のみで最大４２９６文字、漢字のみで最大１８１７文字もの情報量を組み込むことができる。その他に、省スペース化が可能である、カナ・漢字を効率よく表現することができる、汚れ・破損に強い、３６０°どの方向からでも読み取りが可能であるなどの特長を有する。なお、本実施形態において、印刷物４に貼付（「貼付」には「印刷」も含むものとする。）される二次元コードは、読み込み可能な二次元コードであればいずれを採用することもできるが、現在の日本においては、ＱＲコード３の普及率が高く、ＱＲコードリーダーが携帯電話機８に内蔵されているケースも多いため、ＱＲコード３を採用している。
【００１９】
「Data Matrix」は、数字のみで最大３１１６文字、英数字のみで２３３５文字、バイナリデータのみで１５５６文字と非常に多くのデータをコード化でき、また、サイズ的にも小型化できるという特長を有する。例えば、液晶、半導体ウェハ、ＩＣ部品などに使用されている。
【００２０】
「ＰＤＦ４１７」は、世界的（アメリカを中心に）に最も普及している二次元コードであり、例えば、米国自動車工業会（ＡＩＡＧ）、米国電子部品工業会（ＥＩＡ）、米国家具製造工業会（ＡＦＭＡ）、米国国防省、アメリカの運転免許証、フィリピンのパスポートなどに利用されている。
【００２１】
「Maxi Code」は、中央に特徴的な二重丸のファインダパターンがあり、これによりリーダーが2次元コードの位置を瞬ときに認識することができるため、高速読み取りに適している。例えば、貨物の仕分けや追跡に利用されている。
【００２２】
前記印刷物４は、ＱＲコード３の貼付媒体であり、例えば、カタログ、パンフレット、ゴルフのスコアカード、葉書、広告、名刺、包装紙、ＣＤ−ＲＯＭやＤＶＤのパッケージなどである。本実施形態では、ユーザー５にＱＲコード３を知らしめるために、ユーザー５に配布することができる印刷物４を利用した場合を示している。なお、ここでは音声・映像配信事業者１が印刷物４を作成してクライアント２に納品する場合を示しているが、印刷物４の作成は印刷業者に委託してもよいことは勿論である。
【００２３】
前記通信ネットワーク６は、通信プロトコルＴＣＰ／ＩＰを用いて種々の通信回線（電話回線やＩＳＤＮ回線、ＡＤＳＬ回線などの公衆回線、専用回線、無線通信網）を相互に接続して構築される分散型のＩＰ網であり、このＩＰ網には、１０ＢＡＳＥ−Ｔや１００ＢＡＳＥ−ＴＸなどによるイントラネット（企業内ネットワーク）や家庭内ネットワークなどのＬＡＮなども含まれる。
【００２４】
前記サーバー７は、音声・映像配信事業者が運営するＷｅｂサイトを管理するＷｅｂサーバーであり、ＷＷＷ（World Wide Web）などのドキュメントシステムにより、ＨＴＭＬ（Hyper Text Markup Language）ファイルや画像ファイルから構成されるＷｅｂサイトなどの情報送信を行うサーバーコンピュータ又はその機能を持ったソフトウェアにより実現され、Ｗｅｂブラウザなどのクライアントソフトウェアの要求に応じ、通信ネットワークを通じてＷｅｂサイトを配信する。なお、ここでは音声・映像配信事業者１自身がサーバー７を管理するものであるが、サーバー７の管理を第三者に委託してもよいことは勿論である。
【００２５】
具体的に、このサーバー７は、図示しないが、ＣＰＵ（中央処理装置）、ＲＡＭ、ＲＯＭ、ハードディスクなどの記憶装置、キーボードなどの入力装置及びディスプレイなどの出力装置を備え、記憶装置に映像配信システムを稼動させるプログラムが記憶されており、該プログラムをＣＰＵで実行することにより、音声・映像配信システムの各モジュールを実現させる。ここで、「モジュール」とは、装置や危機などのハードウェア、その機能を持ったソフトウェア又はこれらの組合せなどによって構成され、所定の動作を達成するための機能単位を示す。なお、サーバー７のモジュールについては後述する。
【００２６】
前記携帯電話機８は、無線通信を利用した、例えば、携帯可能な電話機であり、無線基地局９などの中継点と携帯電話機８が無線で通信し、通話やデータ通信などの通信サービスを移動しつつ受けることができる。この携帯電話機８の通信方式としては、例えば、ＦＤＭＡ方式、ＴＤＭＡ方式、ＣＤＭＡ方式、Ｗ−ＣＤＭＡ方式の他、ＰＨＳ（Personal Handyphone System）方式などが挙げられる。また、この携帯電話機８は、デジタルカメラ機能、アプリケーションソフトの実行機能、ＧＰＳ機能などが搭載されていてもよいが、本発明においては、ＱＲコードリーダーなどの二次元コードリーダーを搭載していることが必要である。なお、携帯電話機８は、パーソナルコンピュータなどの汎用コンピュータや機能を特化させた専用装置によって代替することができ、モバイルコンピュータ、ＰＤＡ（Personal Digital Assistance）、携帯ゲーム機、携帯音楽プレーヤなどであってもよい。
【００２７】
前記サーバー７のモジュールとしては、音声・映像データベース１０を管理するデータベース管理手段１１と、印刷物４から携帯電話機８によりＱＲコード３を読み取ってダウンロード用Ｗｅｂサイトにアクセスし、所定の音声・映像をダウンロードしようとしたときに、携帯電話機８の種類（通信事業者の種類、携帯電話機８の機種など）を判別し、アクセス元の携帯電話機８に適した音声・映像データを配信する音声・映像配信手段１２と、を備えている。
【００２８】
前記音声・映像データベース１０は、クライアント２がユーザー５に対して配信したい音声・映像をデータベース化したものであり、音声・映像配信事業者１が音声・映像データベース１０の構築及び管理を行っている。この音声・映像データベース１０は、サーバー７の記憶装置に保存されていることが好ましいが、サーバー７の外部記憶装置や通信ネットワーク６上の専用データベースサーバーに保存されていてもよい。また、音声・映像データベース１０は、同一の音声・映像に対して複数のファイル形式及び複数のファイルサイズの音声・映像データを保有しており、携帯電話機８の通信事業者に応じたファイル形式・ファイルサイズ、携帯電話機８の機種に応じたファイル形式・ファイルサイズに対応することができるようになっている。
【００２９】
前記データベース管理手段１１は、音声・映像データベース１０そのものの管理と音声・映像データに対するアクセスの管理を行う手段である。このデータベース管理手段１１により、音声・映像データベース１０のテーブルを作成したり、レコードを追加・更新・削除したりして、音声・映像データベース１０を編集・更新することができる。また、データベース管理手段１１は、音声・映像データベース１０のログやバックアップの管理も行う。
【００３０】
前記音声・映像配信手段１２は、主としてダウンロードページと音声・映像データベース１０の連携を行うとともに、アクセス元の携帯電話機８に適した音声・映像データを配信する手段である。この音声・映像配信手段１２により、ダウンロードページの音声・映像データへのリンクをクリックした場合に所定の音声・映像データを通信ネットワーク６経由で携帯電話機８に配信することができる。このとき、ユーザー５が使用している携帯電話機８の通信事業者に応じてパケット通信時の分割方法を変更したり、ユーザー５が使用している携帯電話機８の機種で再生できる音声・映像データのファイル形式を識別して配信したりするようにしてもよい。また、旧式の携帯電話機８では、容量的にダウンロードできなかったり、音声・映像データを再生できる機能を持っていなかったりする場合もあり、その場合には「あなたの携帯電話では利用できません」などのメッセージを携帯電話機８に送信するようにしてもよい。
【００３１】
続いて、第一実施形態における本発明の音声・映像配信方法について、図２〜図５を参照しつつ説明する。
【００３２】
図２に示すように、第一実施形態における音声・映像配信方法の準備段階として、クライアント２が音声・映像配信事業者１に音声・映像配信システムを利用できる環境を準備してもらうことを依頼する依頼ステップ（Ｓ２１）と、配信する音声・映像データベース１０を構築する音声・映像データベース構築ステップ（Ｓ２２）と、Ｗｅｂサイトから音声・映像をダウンロードできるダウンロードページを作成するダウンロードページ作成ステップ（Ｓ２３）と、ダウンロードページのＵＲＬアドレスを組み込んだＱＲコード３を作成するＱＲコード作成ステップ（Ｓ２４）と、ＱＲコード３を貼付した媒体（印刷物４）を作成する印刷物作成ステップ（Ｓ２５）と、印刷物４をクライアント２に納品する納品ステップ（Ｓ２６）とを有する。
【００３３】
前記音声・映像データベース構築ステップ（Ｓ２２）において、音声・映像データベース１０に保存する音声・映像の元データはクライアント２が準備することが好ましいが、クライアント２の要求に応じて音声・映像配信事業者又はその委託先が音声・映像の元データを撮影・編集するようにしてもよい。音声・映像の元データを入手した音声・映像配信事業者１は、それを各通信事業者の携帯電話機８で再生できるようにファイル形式やファイルサイズの変更及び設定を行う。
【００３４】
前記ダウンロードページ作成ステップ（Ｓ２３）では、Ｗｅｂサイト上の画像又はテキストデータと、音声・映像データベース１０とを関連付けて記憶させ、所定の画像又はテキストをクリックすると所定の音声・映像をダウンロードできるようにしている。各通信事業者又は各携帯電話機種に対して、ダウンロードページは、共通のものとしてダウンロード時に識別・処理させるようにしてもよいし、通信事業者ごと又は携帯電話機種ごとにダウンロードページを作成してもよい。
【００３５】
前記ＱＲコード作成ステップ（Ｓ２４）において、ＱＲコード３の作成については、ＩＳＯ又はＪＩＳにおいて規格化されているので、詳細な説明については省略する。なお、ＱＲコード３は、ＱＲコード３を構成する最小の単位（白黒の正方形）であるセルによって構成され、該セルの組合せによって表現される。具体的には、位置検出パターン（切り出しシンボル）、タイミングパターン、誤り訂正レベルやマスク番号などの情報を持ったフォーマット情報、データ及び誤り訂正符合（リードソロモン符号）から構成されている。
【００３６】
次に、本発明の音声・映像配信方法の配信段階について説明する。図３は印刷物４にゴルフ場のパンフレット４ａを採用した場合、図４は印刷物４にゴルフのスコアカード４ｂを採用した場合、図５は印刷物４に結婚通知葉書４ｃを採用した場合をそれぞれ示している。
【００３７】
図３に示すように、印刷物４にゴルフ場のパンフレット４ａを採用した場合には、パンフレット４ａに貼付されたＱＲコード３を携帯電話機８により読み取るＱＲコード読取ステップ（Ｓ３１）と、携帯電話機８の画面にダウンロードページを表示させるダウンロードページ表示ステップ（Ｓ３２）と、ダウンロードページのＭＯＶＩＥボタン３０をクリックしてクラブハウス内の様子を閲覧することができる音声・映像をダウンロードするダウンロードステップ（Ｓ３３）とを有する。
【００３８】
かかるステップにより自分の携帯電話機８に音声・映像データをダウンロードしてしまえば、ユーザー５は、いつでも好きなときに好きな場所で音声・映像を再生することができる（再生ステップ（Ｓ３４））。また、ＱＲコード読取ステップ（Ｓ３１）の後、ダウンロードページを表示させないで又は表示させた後に、携帯電話機８のブックマーク（お気に入り）にＵＲＬアドレスを登録しておき、必要なときに必要な場所でダウンロードページにアクセスして、即座に音声・映像データをダウンロードして再生することもできる。
【００３９】
図４に示すように、印刷物４にゴルフのスコアカード４ｂを採用した場合には、スコアカード４ｂに貼付されたＱＲコード３を携帯電話機８により読み取るＱＲコード読取ステップ（Ｓ４１）と、携帯電話機８の画面にダウンロードページを表示させるダウンロードページ表示ステップ（Ｓ４２）と、ダウンロードページのコースＮｏ．ボタン４０をクリックして各コースの様子を閲覧することができる音声・映像をダウンロードするダウンロードステップ（Ｓ４３）とを有する。かかるステップにより自分の携帯電話機８に音声・映像データをダウンロードしてしまえば、ユーザー５は、いつでも好きなときに好きな場所で音声・映像を再生することができる（再生ステップ（Ｓ４４））。
【００４０】
このように、スコアカード４ｂからコース映像をダウンロードできるようにすると、ゴルフコースの映像案内（ガイダンス）だけでなく、コース及びグリーンの特徴や攻略方法、当該コースを熟知したキャディーやプロゴルファーのコメントなどの音声・映像データをユーザー５に提供することができ、ゴルフのラウンド中に本システムを利用することにより、ユーザー５のスコアアップに貢献することができる。また、初めて回るコースの場合にはコース攻略のための予習をすることができる。なお、ここでは、インとアウトとでダウンロードページを選択できるようにしたが、インとアウトの両方のコースを同じダウンロードページに表示させるようにしてもよいし、コースごとにダウンロードページを作成してもよい。
【００４１】
図５に示すように、印刷物４に結婚通知葉書４ｃを採用した場合には、結婚通知葉書４ｃに貼付されたＱＲコード３を携帯電話機８により読み取るＱＲコード読取ステップ（Ｓ５１）と、携帯電話機８の画面にダウンロードページを表示させるダウンロードページ表示ステップ（Ｓ５２）と、ダウンロードページの通信事業者ごとのダウンロードボタン５０をクリックして結婚式の様子を視聴することができる音声・映像をダウンロードするダウンロードステップ（Ｓ５３）とを有する。かかるステップにより自分の携帯電話機８に音声・映像データをダウンロードしてしまえば、ユーザー５は、いつでも好きなときに好きな場所で音声・映像を再生することができる（再生ステップ（Ｓ５４））。
【００４２】
ここでは、携帯電話の通信事業者に対応したダウンロードボタン５０を３種類表示させているが、ＰＨＳ対応のボタンや、ＰＤＡ・モバイルコンピュータなどに対応したボタンを表示させてもよいし、ボタンの代わりにプルダウン形式やラジオボタン形式で表示させてもよい。また、通信事業者を選択させた後、自分の携帯電話機８の機種をボタンやプルダウンで選択できるようにして音声・映像データをダウンロードさせるようにしてもよい。
【００４３】
次に、本発明の音声・映像配信システムの第二実施形態について、図６及び図７を参照しつつ説明する。ここで、図６は、示す第二実施形態の映像配信システムを全体構成図、図７は第二実施形態における音声・映像配信方法の配信段階を示す説明図である。なお、図１に示した第一実施形態と同じ部分には同じ符号を付し重複した説明を省略する。
【００４４】
図６に示す第二実施形態は、図１に示した第一実施形態の印刷物４の代わりに、ＱＲコード３をサーバー７が管理するＷｅｂサイト上に表示させたものである。したがって、ユーザー５は、通信ネットワーク６に接続されたパーソナルコンピュータなどのＷｅｂユーザー端末６０を操作して、ＱＲコード３が貼付されたＷｅｂページをＷｅｂユーザー端末用ディスプレイ６１の画面上に表示させ、Ｗｅｂユーザー端末用ディスプレイ６１に表示されているＱＲコード３を携帯電話機８で撮影し、ダウンロードページにアクセスする。なお、この第二実施形態における音声・映像配信方法の準備段階を示すフローは、図２に示した第一実施形態のフロー中の印刷物作成ステップ（Ｓ２５）をＷｅｂサイト作成ステップに置き換えるだけでよい。
【００４５】
図７に示すように、不動産紹介用Ｗｅｂサイト７０上にＱＲコード３を貼付した場合には、Ｗｅｂユーザー端末用ディスプレイ６１の画面に表示された不動産紹介用Ｗｅｂサイト７０上に表示されたＱＲコード３を携帯電話機８により読み取るＱＲコード読取ステップ（Ｓ７１）と、携帯電話機８の画面にダウンロードページを表示させるダウンロードページ表示ステップ（Ｓ７２）と、ダウンロードページの通信事業者ごとのダウンロードボタンをクリックして不動産物件の様子を閲覧することができる音声・映像をダウンロードするダウンロードステップ（Ｓ７３）とを有する。かかるステップにより自分の携帯電話機８に音声・映像データをダウンロードしてしまえば、ユーザー５は、いつでも好きなときに好きな場所で音声・映像を再生（Ｓ７４）することができる。
【００４６】
また、ダウンロードページ表示ステップ（Ｓ７２）におけるダウンロードページには、ダウンロードボタンの他に、ロゴ・店名・タイトル、コメント、案内、静止画などを表示させて、ユーザー５に音声・映像データをダウンロードするか否かを選択させる動機付けを与えたり、円滑にダウンロードさせるための案内をしたり、注意書きを表示させたりすることができる。
【００４７】
上述した本発明の第一実施形態及び第二実施形態によれば、ＱＲコード３などの二次元コードを採用したこと、及び携帯電話機８などの移動体通信端末に適した音声・映像データを提供するようにしたことにより、移動体通信端末を用いて、必要なときに必要な場所で必要な情報を容易に入手することができ、企業活動におけるコミュニケーションの向上を図ることができる。すなわち、誰でもどこでもアクセスできる、情報量の豊富な音声・映像を簡単にダウンロードすることができるモバイルポータルサイトを構築することができ、「顧客と企業とのコミュニケーション」、「企業と企業のコミュニケーション」、「企業内のコミュニケーション」を飛躍的に向上させることができる。
【００４８】
本発明は上述した実施形態に限定されず、ゴルフ場案内、ゴルフコース紹介、結婚報告、不動産紹介の他に、冠婚葬祭、出産報告、七五三報告、年賀状、転居報告、出版社、映画配給会社、飲食店、宿泊施設、企業案内などに関する音声・映像データをダウンロードできるようにしてもよいなど、本発明の趣旨を逸脱しない範囲で種々変更が可能であることは勿論である。
【図面の簡単な説明】
【００４９】
【図１】本発明の音声・映像配信システムを示す第一実施形態の全体構成図である。
【図２】第一実施形態における音声・映像配信方法の準備段階を示すフロー図である。
【図３】第一実施形態における音声・映像配信方法の配信段階を示す説明図であり、印刷物にゴルフ場のパンフレットを採用した場合である。
【図４】第一実施形態における音声・映像配信方法の配信段階を示す説明図であり、印刷物にゴルフのスコアカードを採用した場合である。
【図５】第一実施形態における音声・映像配信方法の配信段階を示す説明図であり、印刷物に結婚通知葉書を採用した場合である。
【図６】本発明の音声・映像配信システムを示す第二実施形態の全体構成図である。
【図７】第二実施形態における音声・映像配信方法の配信段階を示す説明図である。
【符号の説明】
【００５０】
１…音声・映像配信事業者
２…クライアント
３…ＱＲコード
４…印刷物
４ａ…パンフレット
４ｂ…スコアカード
４ｃ…結婚通知葉書
５…ユーザー
６…通信ネットワーク
７…サーバー
８…携帯電話機
９…無線基地局
１０…音声・映像データベース
１１…データベース管理手段
１２…音声・映像配信手段
３０…ＭＯＶＩＥボタン
４０…コースＮｏ．ボタン
５０…ダウンロードボタン
６０…Ｗｅｂユーザー端末
６１…Ｗｅｂユーザー端末用ディスプレイ
７０…不動産紹介用Ｗｅｂサイト
Ｓ２１…依頼ステップ
Ｓ２２…音声・映像データベース構築ステップ
Ｓ２３…ダウンロードページ作成ステップ
Ｓ２４…ＱＲコード作成ステップ
Ｓ２５…印刷物作成ステップ
Ｓ２６…納品ステップ
Ｓ３１…ＱＲコード読取ステップ
Ｓ３２…ダウンロードページ表示ステップ
Ｓ３３…ダウンロードステップ
Ｓ３４…再生ステップ
Ｓ４１…ＱＲコード読取ステップ
Ｓ４２…ダウンロードページ表示ステップ
Ｓ４３…ダウンロードステップ
Ｓ４４…再生ステップ
Ｓ５１…ＱＲコード読取ステップ
Ｓ５２…ダウンロードページ表示ステップ
Ｓ５３…ダウンロードステップ
Ｓ５４…再生ステップ
Ｓ７１…ＱＲコード読取ステップ
Ｓ７２…ダウンロードページ表示ステップ
Ｓ７３…ダウンロードステップ
Ｓ７４…再生ステップ  
【図１】
2008042389.tif 000003
【図２】
2008042389.tif 000004
【図３】
2008042389.tif 000005
【図４】
2008042389.tif 000006
【図５】
2008042389.tif 000007
【図６】
2008042389.tif 000008
【図７】
2008042389.tif 000009